(57)【要約】【課題】  画像表示部を有しながらも無線通信の信頼性の高い電子機器を提供する。【解決手段】  電子機器は、画像を表示する画像表示部と、これを駆動するドライバと、他の電子機器と通信を行うアンテナと、ドライバから画像表示部に供給する駆動信号の変化がない信号不変期間にアンテナによる通信を有効化する通信制御部とを具備する。駆動信号の変化がない期間に通信制御部が無線通信部による通信を有効化するので、駆動信号の変化に伴うノイズの影響を通信から排除することが可能である。【選択図】  図３
2005341270.tif 000002
【特許請求の範囲】
【請求項１】
画像を表示する画像表示部と、
前記画像表示部を駆動するドライバと、
他の電子機器と通信を行う無線通信部と、
前記ドライバから前記画像表示部に供給する駆動信号の変化がない期間に前記無線通信部による通信を有効化する通信制御部とを具備する電子機器。
【請求項２】
前記ドライバは、前記画像表示部に供給する駆動信号を変化させる信号変化期間と、前記画像表示部に供給する駆動信号の変化がない信号不変期間とを繰り返し、
前記通信制御部は、前記信号不変期間内の前記信号不変期間以下の長さを持つ通信期間に前記無線通信部による通信を有効化することが可能であり、他の電子機器へ送信または他の電子機器から受信すべきデータ単位が一つの通信期間よりも長い場合には、先の通信期間で前記データ単位の一部を送信または受信した後、次の通信期間で前記データ単位の残りを送信または受信するように前記無線通信部を制御する請求項１に記載の電子機器。
【請求項３】
各通信期間で、前記通信制御部は、前記無線通信部を介して他の電子機器に対して通信開始の契機となる通信開始信号を送信し、この後一定期間待機し、次に前記無線通信部を介して他の電子機器へデータを送信または他の電子機器からデータを受信する請求項２に記載の電子機器。
【請求項４】
前記ドライバは、前記画像表示部に供給する駆動信号を変化させる信号変化期間と、前記画像表示部に供給する駆動信号の変化がない信号不変期間とを繰り返し、
前記通信制御部が前記無線通信部を介して他の電子機器へデータを送信または他の電子機器からデータを受信する場合に、前記ドライバは前記信号不変期間の長さを延長し、
前記通信制御部は、延長された前記信号不変期間に前記無線通信部による通信を有効化する請求項１ないし請求項３のいずれか１項に記載の電子機器。
【請求項５】
前記ドライバは、前記画像表示部に供給する駆動信号を変化させる信号変化期間と、前記画像表示部に供給する駆動信号の変化がない信号不変期間とを繰り返し、
前記通信制御部は、前記信号不変期間内の前記信号不変期間以下の長さを持つ通信期間に前記無線通信部による通信を有効化することが可能であり、前記無線通信部を介して他の電子機器へデータを送信または他の電子機器からデータを受信する場合に、前記通信期間を他の電子機器の通信期間に同期させる請求項１ないし請求項３のいずれか１項に記載の電子機器。
【発明の詳細な説明】
【技術分野】
【０００１】
本発明は、他の機器と通信する機能を備えた電子機器に関する。
【背景技術】
【０００２】
他の機器と無線により通信する機能を備えた種々の電子機器が従来から広く普及している。例えば、利用者や物品を識別するためのＲＦＩＤ（Radio Frequency Identification）を利用した技術のもとでは、種々のデータが記憶されたＩＣタグまたはＩＣカードのような機器と、この機器に対して電磁波により非接触にてデータの書込みや読出しを行なう機器（以下「リーダライタ」という）とが利用される。媒体およびリーダライタにはそれぞれアンテナと、電磁波を変復調する通信チップが設けられている。
【０００３】
通信を行う電子機器には画像表示装置を有するものが多い。例えば、多くのＲＦＩＤのリーダライタには画像表示装置が設けられており、またリーダライタで読み書きされる機器にも人間への情報提供のために画像表示装置が設けられることがある。画像表示部を備え、情報の入出力の伝達媒体として電磁波を用いる情報入出力装置には、例えば特許文献１に開示されたものがある。
【０００４】
【特許文献１】特開平７−４６５１５号公報
【発明の開示】
【発明が解決しようとする課題】
【０００５】
画像表示部を備える電子機器では、画像表示部を駆動するドライバが画像表示部に供給する駆動信号を変化させる。特に動画像を表示する場合には、駆動信号の変化の頻度は大きい。このような駆動信号の変化は、電磁波に影響を及ぼすため、アンテナが送受する電磁波にノイズを与え、通信異常をもたらすおそれがある。
【０００６】
本発明は、画像表示部を有しながらも無線通信の信頼性の高い電子機器を提供する。
【課題を解決するための手段】
【０００７】
本発明に係る電子機器は、画像を表示する画像表示部と、前記画像表示部を駆動するドライバと、他の電子機器と通信を行う無線通信部と、前記ドライバから前記画像表示部に供給する駆動信号の変化がない期間に前記無線通信部による通信を有効化する通信制御部とを具備する。
この構成の下では、ドライバから画像表示部に供給する駆動信号の変化がない期間に通信制御部が無線通信部による通信を有効化するので、駆動信号の変化に伴うノイズの影響を通信から排除し、無線通信の信頼性を改善することが可能である。ドライバから画像表示部に供給する駆動信号の変化がない期間とは、例えば、インパルス駆動方式（動画の残像によるぼやけを減少させるために、画像表示と黒表示を交互に繰り返す駆動方式）の液晶画像表示部を使用する場合には、黒表示の期間のことであるが、後述するようにこれに本発明を限定する意図ではない。      
【０００８】
好ましくは、前記ドライバは、前記画像表示部に供給する駆動信号を変化させる信号変化期間と、前記画像表示部に供給する駆動信号の変化がない信号不変期間とを繰り返す。そして、好ましくは、前記通信制御部は、前記信号不変期間内の前記信号不変期間以下の長さを持つ通信期間に前記無線通信部による通信を有効化することが可能であり、他の電子機器へ送信または他の電子機器から受信すべきデータ単位の通信に要する総時間が一つの通信期間よりも長い場合には、先の通信期間で前記データ単位の一部を送信または受信した後、次の通信期間で前記データ単位の残りを送信または受信するように前記無線通信部を制御する。この場合にはデータ単位の通信に要する総時間が一つの通信期間より長くても、データ単位を分割して送受することが可能である。
【０００９】
好ましくは、各通信期間で、前記通信制御部は、前記無線通信部を介して他の電子機器に対して通信開始の契機となる通信開始信号を送信し、この後一定期間待機し、次に前記無線通信部を介して他の電子機器へデータを送信または他の電子機器からデータを受信する。一般的に、通信開始の契機を電子機器に与えても、その電子機器が実際にデータを送信または受信することが可能になるまでは、ある程度の期間がかかる。通信開始信号を他の電子機器に送信した後、一定期間待機することにより、他の電子機器とのデータ通信が有効に行えるようになる。
【００１０】
本発明に係る電子機器は、典型的にはＲＦＩＤのリーダライタであるが、リーダライタで読み書きされるＩＣタグまたはＩＣカードのような機器であってもよい。このように本発明に係る電子機器同士が通信するシステムにおいて、一方の電子機器におけるドライバから画像表示部に供給する駆動信号の変化がない期間が他方の電子機器におけるドライバから画像表示部に供給する駆動信号の変化がない期間とずれている場合には、両方の電子機器のデータ通信可能な期間が相違することが起こりうる。そこで、両方の電子機器の間のデータ通信を実現するために、下記のようにすると好ましい。
一つの形態では、前記ドライバは、前記画像表示部に供給する駆動信号を変化させる信号変化期間と、前記画像表示部に供給する駆動信号の変化がない信号不変期間とを繰り返す。また、前記通信制御部が前記無線通信部を介して他の電子機器へデータを送信または他の電子機器からデータを受信する場合に、前記ドライバは前記信号不変期間の長さを延長する。そして、前記通信制御部は、延長された前記信号不変期間に前記無線通信部による通信を有効化する。これにより他方の電子機器によるデータの送信または受信の期間に合わせて、延長された前記信号不変期間内で、データを送受信することができる。
【００１１】
他の一つの形態では、前記ドライバは、前記画像表示部に供給する駆動信号を変化させる信号変化期間と、前記画像表示部に供給する駆動信号の変化がない信号不変期間とを繰り返す。また、前記通信制御部は、前記信号不変期間内の前記信号不変期間以下の長さを持つ通信期間に前記無線通信部による通信を有効化することが可能であり、前記無線通信部を介して他の電子機器へデータを送信または他の電子機器からデータを受信する場合に、前記通信期間を他の電子機器の通信期間に同期させる。これにより両方の電子機器の間のデータ通信が実現できる。
【発明を実施するための最良の形態】
【００１２】
以下、添付図面を参照しながら本発明に係る実施の形態を説明する。
＜１．第１実施形態＞
図１に示すように、本発明の実施形態に係る電子機器１０は、使用者が操作するキーパッド１２と、使用者に情報を提示するための画像表示部１４とを備える。また、電子機器１０の内部には、アンテナ（無線通信部）１６と、ＩＣチップの形態を持つ主制御部（通信制御部）１８が設けられている。
【００１３】
アンテナ１６は、例えば、導線を一回または複数回環状に巻いた方形ループコイルであり、他の機器から送信された電磁波の受信と他の機器への電磁波の送信とを行なう。電磁波による通信に代えてまたはこれに加えてアンテナコイルは電磁誘導または電磁結合の原理を用いた充電のために使用されてもよい。
【００１４】
主制御部１８は、アンテナ１６を制御する通信回路（図示略）を有する。通信回路は、アンテナ１６により受信された電磁波を復調してデジタルデータを得ることができ、またデジタルデータを変調して得られる電磁波をアンテナ１６から送信することができる。例えば、通信方式としては、電磁誘導方式、電磁結合方式およびマイクロ波方式のいずれでもよい。主制御部１８の他の機能については後述する。
【００１５】
図２は電子機器１０の制御系統を示すブロック図である。画像表示部１４は、マトリクス状に配列された多数の画素１５を備えたアクティブマトリクス方式の液晶表示パネルである。画像表示部１４は、図中の横方向に延びる多数の走査線（図示略）と、図中の縦方向に延びる多数のデータ線（図示略）を備える。これらの走査線およびデータ線の多数の交差点の近傍に画素１５が設けられている。
【００１６】
各走査線は走査線ドライバ２２により駆動され、各データ線はデータ線ドライバ２４により駆動される。走査線ドライバ２２は各走査線に対して走査信号を順次に出力する。データ線ドライバ２４は、表示すべき階調に応じた画像信号を各データ線に供給し、これにより各画素１５に表示電圧を与える。
【００１７】
また画像表示に必要なバックライト（図示略）はバックライトドライバ２６によりオン・オフされる。表示ドライバ制御部２０は画像表示部１４に動画像を表示するように、走査線ドライバ２２、データ線ドライバ２４およびバックライトドライバ２６を制御する。また、表示ドライバ制御部２０は主制御部１８と信号を交換するようになっている。
【００１８】
主制御部１８は、上記の通信回路のほかに、アプリケーションプログラムを格納した記憶回路およびこのアプリケーションプログラムを実行する制御回路を有する（いずれも図示略）。第１実施形態に係る電子機器はＲＦＩＤのリーダライタであり、リーダライタのアプリケーションプログラムは、使用者に対してパラメータの入力を要求し、使用者がキーパッド１２を用いてパラメータを入力すると、パラメータに応じて演算処理を行う。また、アプリケーションプログラムは、他の機器（ここではＩＣタグまたはＩＣカード）に対する読み取りまたは書き込みを行う。
【００１９】
使用者に対してパラメータの入力を要求する時には、アプリケーションプログラムに従って主制御部１８の制御回路は表示ドライバ制御部２０に信号を供給して画像表示部１４に入力要求画面を動画像形式で表示させる。入力要求画面は、例えば図１に示されるような文字（数字や記号を含む）およびバーコードを有する。また、使用者がキーパッド１２を用いてパラメータを入力すると、アプリケーションプログラムに従って主制御部１８の制御回路はパラメータに応じて演算処理を行い、演算処理の結果を画像表示部１４が動画像形式で表示するように表示ドライバ制御部２０に信号を供給する。このような使用者との対話を通じて、例えば他の機器への書き込みデータを主制御部１８の制御回路は生成し、書き込みデータを主制御部１８の記憶回路に格納する。
【００２０】
また、他の機器に対する読み取りまたは書き込みを行う時には、アプリケーションプログラムに従って主制御部１８の制御回路は読み取り指令または書き込み指令を生成する。その後、主制御部１８の通信回路がアンテナ１６を介して読み取り指令または書き込み指令を他の機器に送信する。読み取り指令を送信した場合には、主制御部１８の通信回路はこの後アンテナ１６を介して他の機器からの読み取り返信データを受信し、読み取り返信データを主制御部１８の記憶回路に格納する。書き込み指令を送信した場合には、主制御部１８の通信回路はこの後記憶回路から読み出した書き込みデータをアンテナ１６を介して送信する。このような通信時に通信回路が通信信号の変復調を行うことは上記した通りである。
【００２１】
図３は、第１実施形態に係る電子機器１０の状態変化を示すタイミングチャートである。この電子機器１０では、画像表示部１４にインパルス駆動方式で動画像を表示する。インパルス駆動方式とは、残像によるぼやけを減少させるために、画像表示と黒表示を交互に繰り返す駆動方式である。この方式では画像表示時にバックライトを点灯するが黒表示時にバックライトを点灯する。
【００２２】
図３において、同期信号は、主制御部１８の制御回路が発生するクロックパルスに基づいて表示ドライバ制御部２０が定期的に生成するパルスである。同期信号の発生周期は、動画像の１フレーム期間に相当する。１フレーム期間は、例えば、１６．６ｍｓである（１秒あたりの表示フレーム数は６０である）。
【００２３】
バックライト制御信号は、バックライトドライバ２６がバックライトを点灯および消灯させるために発生する信号である。表示ドライバ制御部２０が同期信号を生成すると、バックライトドライバ２６はバックライト制御信号をハイレベルにし、ハイレベル状態を一定期間（例えば１フレーム期間の数％〜５０％）持続する。バックライト制御信号がハイレベルの期間が表示期間であり、この期間にバックライトが点灯するので、画像表示部１４上の画像を視認することができる。バックライト制御信号がローレベルの期間が表示オフ期間であり、この期間にバックライトが消灯するので、画像表示部１４の全面に黒が瞬間的に表示される。
【００２４】
走査線／データ線制御状態は、走査線ドライバ２２およびデータ線ドライバ２４がそれぞれ走査線およびデータ線を駆動している状態を示す。この実施の形態においては、バックライトが点灯している表示期間（表示ドライバ制御部２０が同期信号を生成後の一定期間）にドライバ２２，２４がそれぞれ画像表示部１４の走査線およびデータ線を駆動するが、バックライトが消灯している表示オフ期間にドライバ２２，２４は走査線およびデータ線を駆動しない。つまり、この実施の形態では、表示期間はドライバ２２，２４が画像表示部１４に供給する駆動信号が変化する信号変化期間であり、表示オフ期間はドライバ２２，２４が画像表示部１４に供給する駆動信号が変化しない信号不変期間である。このようにしてドライバ２２，２４は、信号変化期間と信号不変期間とを周期的に繰り返す。
【００２５】
駆動信号の変化はアンテナ１６が送受する電磁波にノイズを与えるので、この実施の形態では、表示オフ期間（信号不変期間）にのみ主制御部１８の通信回路がアンテナ１６による読み書き通信を有効化する。「通信を有効化」するとは、具体的には、受信についてはアンテナ１６で受信した電磁波を変調してデジタルデータを得ることを可能にすることであり、送信については読み取りもしくは書き込みの指令信号またはデジタルデータを変調して得られる電磁波をアンテナ１６から送信することを可能にすることである。従って、図３に示すように、読み書き通信期間は、表示オフ期間（信号不変期間）内にあって、表示オフ期間（信号不変期間）以下の長さを持つ。このように、信号不変期間にのみ主制御部１８がアンテナ１６による読み書き通信を有効化することにより、電磁波へのノイズの混入が低減され、無線通信の信頼性を改善することが可能である。
【００２６】
図４は、第１実施形態に係る主制御部１８の通信回路の動作を示すフローチャートである。このフローチャートは、アプリケーションプログラムに従って主制御部１８の制御回路が読み取り指令または書き込み指令を生成すると開始する。まずステップＳ１で通信回路は、表示ドライバ制御部２０から表示オフ信号（図２参照）を受けているか否かチェックする。表示ドライバ制御部２０は、表示オフ期間（信号不変期間）には表示オフ信号を持続的に主制御部１８に供給している。
【００２７】
表示期間である場合（表示オフ信号を受けていない場合）には、ステップＳ１の判断結果は否定的となり、動作はステップＳ２で一定時間待機した後、ステップＳ１に戻る。他方、表示オフ期間である場合（表示オフ信号を受けている場合）には、ステップＳ１の判断結果は肯定的となり、動作はステップＳ３に進む。ステップＳ３では、他の機器に対する読み取りまたは書き込みのための通信を行う。つまり、上記のように、読み取り指令または書き込み指令を他の機器に送信した後、他の機器からの読み取り返信データを受信するか、他の機器へ書き込みデータを送信する。以上のようにして、実質的な通信期間を表示オフ期間（信号不変期間）に限定することにより、電磁波へのノイズの混入が低減され、無線通信の信頼性を改善することが可能である。
【００２８】
＜２．第２実施形態＞
上記の第１実施形態では、一つの表示オフ期間（信号不変期間）中で読み取りまたは書き込み通信を満了させる。従って、読み取りまたは書き込みのデータの長さが短い場合には適しているが、長いデータの読み取りまたは書き込みの場合には一つの表示オフ期間では通信できないおそれがある。以下に述べる第２実施形態では、長いデータでも読み取りまたは書き込みができるようにする。第２実施形態に係る電子機器は第１実施形態と同様の構成を持つＲＦＩＤのリーダライタであり、下記の点を除いて動作も第１実施形態と同様である。
【００２９】
図５は、第２実施形態に係る電子機器１０の状態変化を示すタイミングチャートであり、その見方は図３と同様である。読み書き通信期間は、表示オフ期間（信号不変期間）内にあって、表示オフ期間（信号不変期間）以下の長さを持つ。ただし、図５に示すように、第２実施形態では、他の電子機器（ＩＣタグまたはＩＣカード）へ送信または他の電子機器から受信すべきデータ単位の通信に要する総時間が一つの読み書き通信期間よりも長い場合には、先の通信期間で前記データ単位の一部を送信または受信した後、次の読み書き通信期間で前記データ単位の残りを送信または受信するように主制御部１８の通信回路がアンテナ１６による通信を有効化する。この場合にはデータ単位の通信に要する総時間が一つの読み書き通信期間より長くても、データ単位を複数の読み書き通信期間に分割して送受することが可能である。
【００３０】
図６は、第２実施形態に係る主制御部１８の通信回路の動作を示すフローチャートである。このフローチャートは、アプリケーションプログラムに従って主制御部１８の制御回路が読み取り指令または書き込み指令を生成すると開始する。まずステップＳ１１で通信回路は、表示ドライバ制御部２０から表示オフ信号（図２参照）を受けているか否かチェックする。
【００３１】
表示期間である場合（表示オフ信号を受けていない場合）には、ステップＳ１１の判断結果は否定的となり、動作はステップＳ１２で一定時間待機した後、ステップＳ１１に戻る。他方、表示オフ期間である場合（表示オフ信号を受けている場合）には、ステップＳ１１の判断結果は肯定的となり、動作はステップＳ１３に進む。ステップＳ１３で通信回路は他の機器に対する読み取りまたは書き込みのための通信を行う。つまり、上記のように、読み取り指令または書き込み指令を他の機器に送信した後、他の機器からの読み取り返信データを受信するか、他の機器へ書き込みデータを送信する。
【００３２】
さらに、ステップＳ１４で通信回路は、表示ドライバ制御部２０から表示オフ信号（図２参照）を受けているか否かチェックする。表示オフ期間である場合（表示オフ信号を受けている場合）には、ステップＳ１４の判断結果は否定的となり、動作はステップＳ１３に戻り、通信回路は他の機器に対する読み取り受信または書き込み送信を続行する。他方、表示期間である場合（表示オフ信号を受けていない場合）には、ステップＳ１４の判断結果は肯定的となり、動作はステップＳ１５に進む。
【００３３】
ステップＳ１５で通信回路は、ここまで読み取り受信または書き込み送信していたデータ単位が既に終了しているか否か判断する。データの読み取り受信をしていた場合には、例えば他の機器からデータ単位の通信終了を示す情報要素を既に受信したか否かを主制御部１８の制御回路が判断し、判断結果を通信回路に通知すればよい。あるいはエンドオブファイルのようなデータ単位の末尾を示す識別子を既に受信したか否かを主制御部１８の制御回路が判断し、判断結果を通信回路に通知してもよい。他方、データの書き込み送信をしていた場合には、例えば、送信すべきデータ単位の残りがなくなったか否かを通信回路が判断すればよい。
【００３４】
ステップＳ１５の判断結果が肯定的であれば動作は終了する。他方、この判断結果が否定的であれば動作はステップＳ１２で一定時間待機した後、ステップＳ１１に戻る。そして次の表示オフ期間（信号不変期間）にて、通信回路はデータ単位の残りを送信または受信する（ステップＳ１３）。以上のようにして、一つの読み書き通信期間（≧信号不変期間）より大きい時間を通信に要する長いデータ単位を複数の読み書き通信期間に分割して送受することが可能である。
【００３５】
＜３．第３実施形態＞
次に本発明の第３実施形態を説明する。第３実施形態の電子機器は第１および第２実施形態と同様の構成を持つＲＦＩＤのリーダライタであり、下記の点を除いて動作も第２実施形態と同様である。
【００３６】
ＲＦＩＤのリーダライタでＩＣタグまたはＩＣカードに読み書きする場合には、ＩＣタグまたはＩＣカードに通信開始の契機となる信号を与えても、ＩＣタグまたはＩＣカードがデータを通信可能な状態になるまでには、短いながらも時間を要することがある。特にパッシブタイプ（リーダライタからの電磁波により発電する形式）のＩＣタグまたはＩＣカードでは、ＩＣチップが動作可能になるまで時間がかかる。そこで、第３実施形態では、他の電子機器に通信開始の契機となる通信開始信号を送信した後に、実際にデータの読み書きのための通信を行う前にアイドル期間を設けることにより、他の電子機器がデータ通信可能になるまで待機する。
【００３７】
図７は、第３実施形態に係る電子機器１０の状態変化を示すタイミングチャートであり、その見方は図５と同様である。読み書き通信期間は、表示オフ期間（信号不変期間）内にあって、表示オフ期間（信号不変期間）以下の長さを持つ。第２実施形態と同様に、データ単位の通信に要する総時間が一つの読み書き通信期間より長い場合には、データ単位を複数の読み書き通信期間に分割して送受する。
【００３８】
ただし、表示オフ期間（信号不変期間）において、データの読み書き通信期間の前にはアイドル期間が設けられている。このアイドル期間は、他の機器に通信開始の契機となる信号を与えた後、他の機器が実際にデータの読み書きを可能になるまでの時間である。例えばアクティブタイプ（電池内蔵型）のＩＣタグまたはＩＣカードと通信する場合には、アイドル期間にはリーダライタは待機するだけでよく、特にアンテナ１６から電磁波を発する必要はない。しかし、パッシブタイプのＩＣタグまたはＩＣカードと通信する場合には、アイドル期間にはリーダライタはアンテナ１６からＩＣタグまたはＩＣカードへの給電のための電磁波を送出し続ける。
【００３９】
図８は、第３実施形態に係る主制御部１８の通信回路の動作を示すフローチャートである。このフローチャートは、第２実施形態のフローチャート（図６）と比較して、ステップＳ２０，Ｓ２１を有する点で異なる。第２実施形態と同様のステップについては説明を省略し、第３実施形態の特有の動作を説明する。
【００４０】
まずステップＳ１１で表示オフ期間である（表示オフ信号を受けている）と判断された場合には、動作はステップＳ２０に進み、読み書きされるデータとは別種の通信開始信号を送信する。通信開始信号としては、アクティブタイプの機器と通信する場合には機器に読み書きを指令するコマンドでよいし、パッシブタイプの機器と通信する場合には機器に給電する電磁波に相当する信号でよい。
【００４１】
この後、ステップＳ２１でアイドル期間待機した後、動作はステップＳ１３に進み、通信回路は他の機器に対する読み取りまたは書き込みのための通信を行う。以上のように通信開始信号を他の電子機器に送信した後、アイドル期間待機することにより、通信可能になるまで時間を要する他の電子機器とのデータ通信が有効に行えるようになる。
【００４２】
＜４．第４実施形態＞
上記の第１〜第３実施形態に係る電子機器は、ＲＦＩＤのリーダライタであるが、リーダライタで読み書きされる機器（ＩＣタグまたはＩＣカード）であってもよい。しかし、本発明に係る電子機器同士が通信するシステムでは、図９に示すように、一方の電子機器（例えばリーダライタ）におけるドライバ２２，２４から画像表示部１４に供給する信号の変化がない期間（表示オフ期間）が他方の電子機器（例えばＩＣタグまたはＩＣカード）におけるドライバ２２，２４から画像表示部１４に供給する信号の変化がない期間（表示オフ期間）とずれている場合には、両方の電子機器のデータ通信可能な期間が相違することが起こりうる。そこで、両方の電子機器の間のデータ通信を実現するために、本発明に係る第４実施形態では、下記のように動作を行う。
【００４３】
第４実施形態では、ＲＦＩＤのリーダライタもリーダライタで読み書きされる機器も、基本的には第１〜第３実施形態に係る電子機器と同様に動作する。ただし、両方の機器が相互に通信する場合には、下記のように動作する。
【００４４】
図１０は第４実施形態に係る第１の電子機器と第２の電子機器の状態変化を示すタイミングチャートである。第１の電子機器はリーダライタであり、第２の電子機器はリーダライタで読み書きされる機器である。図１０には同期信号および走査線／データ線制御状態を示していないが、前述と同様に同期信号の生成によりバックライト制御信号がハイレベルになって一定長さの表示期間が開始する。また、表示期間はドライバ２２，２４が画像表示部１４の走査線およびデータ線を駆動する信号変化期間であり、バックライトが消灯している表示オフ期間が信号不変期間である。
【００４５】
第２の電子機器とデータ通信する場合には、第１の電子機器の主制御部１８は、第２の電子機器への表示オフ延長指令を生成して、第１の機器の表示オフ期間にこの指令を送信する。第１の機器から表示オフ延長指令が送信される時には第２の機器は表示期間（信号変化期間）にあるかもしれない。信号変化期間には受信電磁波にノイズが混入しやすいので、精密なデータ通信は不適切であるが、通信ができないわけではない。第２の機器は信号変化期間でも表示オフ延長指令を受信する。表示オフ延長指令が確実に第２の機器で受信できるように、表示オフ延長指令の送信期間は長くすると好ましい。
【００４６】
表示オフ延長指令を受信すると、第２の機器の主制御部１８は、データ通信が可能なように次の表示オフ期間を延長するように表示ドライバ制御部２０に指令する。この指令に従って、表示ドライバ制御部２０は、次の表示オフ期間を延長し、この表示オフ期間に画像表示部１４へ供給する駆動信号が変化しないようにドライバ２２，２４，２６を制御する。従って、バックライトドライバ２６は通常より長期間バックライト制御信号をローレベルに保持し、走査線ドライバ２２およびデータ線ドライバ２４は走査線およびデータ線を通常より長期間駆動しない。
【００４７】
第２の機器の主制御部１８は、この延長された表示オフ期間にアンテナ１６による通信を有効化する。従って、第１の機器によるデータの書き込み送信または読み取り受信の期間に合わせて、延長された表示オフ期間内で、第２の機器はデータを送受信することができる。
【００４８】
＜５．第５実施形態＞
本発明に係る第５実施形態も、データ通信可能な期間が相違する二つの電子機器の間のデータ通信を実現するための技術に関する。
【００４９】
第５実施形態では、ＲＦＩＤのリーダライタもリーダライタで読み書きされる機器も、基本的には第１〜第３実施形態に係る電子機器と同様に動作する。ただし、両方の機器が相互に通信する場合には、下記のように動作する。
【００５０】
図１１は第５実施形態に係る第１の電子機器と第２の電子機器の状態変化を示すタイミングチャートである。図１１の見方は図１０と同様である。第２の電子機器とデータ通信する場合には、第１の電子機器の主制御部１８は、第２の電子機器への同期確立指令を生成して、第１の機器の表示オフ期間にこの指令を送信する。第１の機器から同期確立指令が送信される時には第２の機器は表示期間（信号変化期間）にあるかもしれないが、第２の機器は信号変化期間でも同期確立指令を受信する。同期確立指令が確実に第２の機器で受信できるように、同期確立指令の送信期間は長くすると好ましい。
【００５１】
同期確立指令を受信すると、第２の機器の主制御部１８は、第２の機器の表示期間（信号変化期間）および表示オフ期間（信号不変期間）が第１の機器に同期するように表示ドライバ制御部２０に指令する。この指令に従って、表示ドライバ制御部２０は、第１の機器の表示期間（信号変化期間）および表示オフ期間（信号不変期間）に同期するようにドライバ２２，２４，２６を制御する。また、第２の機器の主制御部１８は、読み書き通信期間を第１の機器に同期させる。これらの同期確立動作を第２の機器で実行できるように、同期確立指令には第１の機器と同期するのに必要な情報要素（例えばタイムスタンプ）が含まれている。以上のようにして両方の電子機器の間のデータ通信が実現できる。
【００５２】
＜６．変形例＞
上記実施形態に対しては種々の変形が施される。具体的な変形の態様は以下の通りである。以下の各態様を適宜に組み合わせてもよい。
【００５３】
（１）上記の実施形態では、表示期間が信号変化期間であり、表示オフ期間が信号不変期間であるが、本発明を上記実施形態に限定する意図ではない。例えば、バックライトを消灯する表示オフ期間にドライバが画像表示部に供給する駆動信号を変化させた後に画像をホールドし、バックライトを点灯する表示期間にはホールドされた画像を表示する形式の電子機器も考えうる。この電子機器では、表示オフ期間が信号変化期間であり、表示期間が信号不変期間である。この場合には、表示オフ期間にはアンテナ１６による通信を無効化し、表示期間にアンテナ１６による通信を有効化すればよい。
【００５４】
（２）上記の実施形態では、画像表示部１４としてアクティブマトリクス方式の液晶表示パネルを例示したが、画像表示部の構成の如何は不問である。例えば、他の液晶表示パネル、有機ＥＬ（Electroluminescent）表示パネル、プラズマ表示パネル、電気泳動表示パネルなど各種の表示パネルに本発明が適用され得る。
【図面の簡単な説明】
【００５５】
【図１】本発明の実施形態に係る電子機器の外観を示す正面図である。
【図２】前記電子機器の制御系統を示すブロック図である。
【図３】本発明の第１実施形態に係る電子機器の状態変化を示すタイミングチャートである。
【図４】第１実施形態に係る電子機器の主制御部の通信回路の動作を示すフローチャートである。
【図５】本発明の第２実施形態に係る電子機器の状態変化を示すタイミングチャートである。
【図６】第２実施形態に係る電子機器の主制御部の通信回路の動作を示すフローチャートである。
【図７】本発明の第３実施形態に係る電子機器の状態変化を示すタイミングチャートである。
【図８】第３実施形態に係る電子機器の主制御部の通信回路の動作を示すフローチャートである。
【図９】本発明に係る電子機器同士が通信するシステムで起こりうる問題点を示すタイミングチャートである。
【図１０】本発明の第４実施形態に係る第１の電子機器と第２の電子機器の状態変化を示すタイミングチャートである。
【図１１】本発明の第５実施形態に係る第１の電子機器と第２の電子機器の状態変化を示すタイミングチャートである。
【符号の説明】
【００５６】
１０…電子機器、１２…キーパッド、１４…画像表示部、１５…画素、１６…アンテナ（無線通信部）、１８…主制御部（通信制御部）、２０…表示ドライバ制御部、２２…走査線ドライバ、２４…データ線ドライバ、２６…バックライトドライバ。
【図１】
2005341270.tif 000003
【図２】
2005341270.tif 000004
【図３】
2005341270.tif 000005
【図４】
2005341270.tif 000006
【図５】
2005341270.tif 000007
【図６】
2005341270.tif 000008
【図７】
2005341270.tif 000009
【図８】
2005341270.tif 000010
【図９】
2005341270.tif 000011
【図１０】
2005341270.tif 000012
【図１１】
2005341270.tif 000013